(57)【要約】  手持ち式のグラインダにおいて、粉塵飛散防止のため砥石の側方を覆う砥石カバーを位置調整する場合に、従来特別の規制がなされていなかったため、スピンドル軸回りに回転し過ぎて粉塵飛散防止機能が損なわれてしまう場合があった。本発明では、砥石カバーを位置調整する場合に回転し過ぎを防止して、その粉塵飛散防止機能が確実に発揮されるようにする。  砥石カバー（２０）にストッパ突起部（２７）を設け、ギヤハウジング（８）側にストッパ当接部（８ｅ）を設けて、砥石カバー（２０）を砥石回転方向に約６０度回転させた位置でストッパ突起（２７）をストッパ当接部（８ｅ）に当接させてその位置調整範囲を規制する構成とする。
2009054275.tif 000002
【特許請求の範囲】
【請求項１】
駆動源を内装した本体部と、前記駆動源の回転出力を減速する減速ギヤ部と、該減速ギヤ部を経て前記本体部の機長方向に対して側面視交差する方向に回転軸線を有するスピンドルと、該スピンドルに取り付けた円形の砥石の周囲の一部を覆う砥石カバーを備えたグラインダにおける前記砥石カバーのストッパ装置であって、
前記砥石カバーは、前記減速ギヤ部を内装するギヤハウジングに対して、前記スピンドルの軸回りに位置変更可能に支持されて前記砥石の周囲を覆う範囲を変更可能であり、前記スピンドルの軸回りのうち前記砥石の回転方向についての位置変更可能な範囲を規制するストッパ装置。
【請求項２】
請求項１記載のストッパ装置であって、前記砥石カバーは、前記スピンドルの軸線を中心とする平面視放射方向に沿った端縁部を有しており、該端縁部を前記本体部の機長方向に対して平面視直交させた基準位置から、前記砥石の回転方向に最大で６０度の開き角度に規制するストッパ装置。
【請求項３】
請求項１または２記載のストッパ装置であって、前記砥石カバーは、前記砥石の周囲を覆うカバー本体部と、固定ねじの締め込みにより前記ギヤハウジングの周囲に巻き付けて当該砥石カバーを前記ギヤハウジングに取り付ける取り付けバンド部を備えており、該取り付けバンド部にストッパ突起部を内周側に張り出して設ける一方、前記ギヤハウジングに該ストッパ突起部が当接するストッパ当接部を設け、該ストッパ当接部に前記ストッパ突起部を当接させて前記砥石の回転方向についての位置変更可能な範囲を規制する構成としたストッパ装置。
【請求項４】
請求項１または２記載のストッパ装置であって、前記砥石カバーは、前記砥石の周囲を覆うカバー本体部と、固定ねじの締め込みにより前記ギヤハウジングの周囲に巻き付けて当該砥石カバーを前記ギヤハウジングに取り付ける取り付けバンド部を備えており、該取り付けバンド部を、前記ギヤハウジングを前記本体部に取り付けるための取り付けねじの共締めにより固定したストッパ当接部に、前記取り付けバンド部に外周側に張り出して設けた固定ねじ締め付け部を当接させて前記砥石の回転方向についての位置変更可能な範囲を規制する構成としたストッパ装置。
【請求項５】
請求項３または４記載のストッパ装置であって、前記取り付けバンドの内周面に沿って、前記ギヤハウジングの外周面に設けた抜け止め凹部に挿入してスピンドル軸方向の変位を規制する抜け止め凸部を設け、該抜け止め凸部の前記ストッパ突起部の近傍部分を、該ストッパ突起部の前記ストッパ当接部に対するスピンドル軸方向の位置ずれを規制するためのストッパ規制凸部として機能させる構成としたストッパ装置。
【発明の詳細な説明】
【技術分野】
【０００１】
この発明は、例えば石材等の研削作業等に用いる手持ち式グラインダにおける砥石カバーのストッパ装置に関する。
【背景技術】
【０００２】
手持ち式グラインダは、電動モータを内蔵した概ね円柱体形状の本体部を備えており、使用者はこの本体部をグリップ部として把持して研削作業等に用いる。この本体部の前部には、電動モータの回転出力をかさ歯車列により減速して直交方向に出力する減速部が設けられている。このため、減速部の出力側となるスピンドルはモータ軸に対して直交している。このスピンドルに円形の砥石（ホイール）が装着される。通常、砥石の後ろ側（使用者側）のほぼ半周の範囲は、切削作業時に発生する粉塵等（以下、単に粉塵という）の使用者側への飛散を防止するためにカバーで覆われている。
この砥石カバーは、例えば下記の特許文献に開示されているようにその交換作業等の便宜のため取り外し可能とされ、また使用者の作業姿勢等を考慮してスピンドルの軸回りに適当な範囲で回転させて位置変更できるようになっている。当該砥石カバーの位置変更は、その固定ねじ等を緩めることにより行うことができるようになっている。
【特許文献１】実開昭５６−２８８４４号公報
【発明の開示】
【発明が解決しようとする課題】
【０００３】
しかしながら、この種の砥石カバーには、次のような問題があった。上記したように固定ねじを緩めることによって砥石カバーの位置をスピンドルの軸回りの位置について任意の位置に変更することができる構成となっているため、仮に使用者側へ大きな角度開いた位置に位置調整した場合には切削粉が使用者側へ飛散する問題があり、任意の位置に位置調整可能とする構成（位置調整機能）が、粉塵の飛散防止という観点からはかえって使い勝手を悪くしていた。
また、位置調整後の固定ねじの締め付けが弱い場合には、当該砥石カバーが他部位に接触する等してその位置が開き方向に大きくずれてしまい、結果的に粉塵の飛散防止機能が損なわれる状態となる場合があった。
そこで、本発明は、砥石カバーの位置調整機能を大きく損なうことなく、粉塵の飛散防止機能が確実に発揮されるようにするを目的とする。
【課題を解決するための手段】
【０００４】
このため、本発明は、特許請求の範囲の各請求項に記載した構成のストッパ装置とした。
請求項１記載のストッパ装置によれば、砥石カバーは、ギヤハウジングに対してスピンドルの軸回りに位置変更可能に支持されていることから、作業形態等に併せて最適な位置に調整することにより使用者側への粉塵の飛散を防止しつつ作業の効率化を図ることができる。しかも、砥石カバーの砥石回転方向の位置変更可能な範囲についてはストッパ装置によって一定の範囲に規制されているので、使用者が誤って粉塵飛散防止機能を大きく損なう位置に位置調整してしまうことがなく、また当該砥石カバーが他部位に接触する等した場合であってもその粉塵飛散防止機能が大きく損なわれる位置にまで不用意に移動してしまうことがない。
請求項２記載のストッパ装置によれば、砥石カバーの端縁部を機長方向に対して平面視直交させた基準位置に位置させることにより、砥石の例えば前側半周の範囲を露出させてその作業性を確保しつつ、使用者側への粉塵の飛散を最も効率よく防止することができる。この基準位置から砥石回転方向への位置調整範囲（基準位置からの開き角度θ）を角度６０度（θ＝６０°）に規制することにより、粉塵飛散防止機能を大きく損なうことなく、十分実用的な位置調整範囲を確保することができる。
請求項３記載のストッパ装置によれば、ストッパ突起部をギヤハウジング側のストッパ当接部に当接させることによりその位置調整可能な範囲の規制を確実に行うことができる。
請求項４記載のストッパ装置によれば、砥石カバーの取り付けバンド部の固定ねじ締め込み部が、ギヤハウジング側のストッパ当接部に当接することによって、当該砥石カバーの砥石回転方向についての位置調整可能な範囲が一定の位置で規制され、これにより作業形態に合わせた使い勝手を確保しつつ、当該砥石カバーの粉塵飛散防止機能を確実に確保することができる。
また、ストッパ当接部が、本体部に対するギヤハウジングの取り付けねじを利用して共締めにより取り付けられる構成であるので、当該ストッパ当接部を後付けすることが容易になることから当該ストッパ装置を既に使用中のグラインダについていわゆる後付けにより広く適用することができる。
請求項５記載のストッパ装置によれば、ストッパ突起部のスピンドル軸方向の変位がより確実に規制される。このため、ストッパ突起部がストッパ当接部に当接した際の衝撃によりストッパ突起部がストッパ当接部に対してスピンドル軸方向に外れてしまうことが防止され、これにより当該砥石カバーの基準位置からの開き角度を一層確実に規制することができる。
【図面の簡単な説明】
【０００５】
【図１】本発明の第１実施形態に係るストッパ装置を備えたグラインダの全体側面図である。
【図２】第１実施形態に係るストッパ装置を備えたグラインダを、図１中矢印（２）方向から見た下面図である。本図は、砥石カバーが基準位置に位置する状態を示している。本図において、砥石回転方向は、反時計回り方向となる。
【図３】図２と同様、第１実施形態に係るストッパ装置を備えたグラインダを、図１中矢印（２）方向から見た下面図である。本図は、砥石カバーが基準位置から砥石回転方向へ約６０度回転させた規制状態を示している。本図では、ストッパ突起部２７がストッパ当接部８ｅに当接した状態が示されている。本図において、砥石回転方向は、反時計回り方向となる。
【図４】砥石カバーを、図１中矢印（４）方向から見た平面図である。本図は、砥石カバーをギヤハウジングから取り外した単体の状態を示している。本図において、砥石回転方向は、図中白抜きの矢印で示す時計回り方向となる。
【図５】第１実施形態に係るストッパ装置に関し、ギヤハウジング下部の縦断面図である。
【図６】第１実施形態に係るストッパ装置に関し、ギヤハウジング下部を図５中矢印（６）方向から見た下面図である。
【図７】第２実施形態のストッパ装置を備えたグラインダ全体の下面図である。本図は、砥石カバーが基準位置に固定された状態を示している。本図において、砥石回転方向は反時計回り方向となる。
【図８】第２実施形態のストッパ装置を備えたグラインダ全体の下面図である。本図では、砥石カバーが基準位置から砥石回転方向へ約６０度回転させた規制状態を示している。本図では、固定ねじ２４の先端がギヤハウジングに共締めしたストッパ本体３１ａに当接した状態が示されている。本図において、砥石回転方向は反時計回り方向となる。
【図９】第２実施形態のストッパ装置を備えたグラインダの前部を上下反転して示す斜視図である。本図では、砥石１０の図示が省略されている。
【図１０】第３実施形態のストッパ装置を備えたグラインダの前部を上下反転して示す斜視図である。本図では、砥石１０の図示が省略されている。
【図１１】第１実施形態の砥石カバーに、ストッパ規制部を設けた別形態の砥石カバーの平面図である。
【発明を実施するための最良の形態】
【０００６】
次に、本発明の実施形態を図１〜図１１に基づいて説明する。図１は、第１実施形態に係るストッパ装置Ｔ１を備えたグラインダ１を示している。グラインダ１の基本的構成については本実施形態において特に変更を要しないが、以下簡単に説明する。なお、図１において左側を当該グラインダ１の前側とし、右側を後ろ側とする。
このグラインダ１は、本体部３と減速ギヤ部４を備えている。本体部３は、ほぼ円筒形状の本体ハウジング５を備えている。本体ハウジング５には、駆動源としての電動モータ２が内装されている。この本体ハウジング５ひいては本体部３は、使用者が把持しやすい太さのグリップ部としての機能を併せ持っている。使用者は、本体部３の後ろ側に位置して当該本体部３を把持する。この本体部３の側部には、スライド操作式のメインスイッチ６が配置されている。当該本体部３を把持した手の指先でこのメインスイッチ６をスライド操作すると、電動モータ２が起動する。
本体部３の前部に減速ギヤ部４が設けられている。電動モータ２の回転出力は、この減速ギヤ部４により減速されてスピンドル７に出力される。減速ギヤ部４は、ギヤハウジング８にかさ歯車列を内装した構成を備えている。このため、スピンドル７の回転軸線は、電動モータ２の回転軸線（機長方向Ｊ）に対して側面視直交している。
なお、この明細書では、側面視とは当該グラインダ１の側面を正面にした向き（図１に示す向き）をいい、平面視とは当該グラインダ１の上面を正面にした向き（図１において矢印（４）方向から見る向き）をいう。
ギヤハウジング８は、上部８ａと下部８ｂの二体構造を有しており、それぞれ取り付けねじ９〜９で本体ハウジング５の前端部に結合されている。スピンドル７は、ギヤハウジング下部８ｂから下方へ突き出されており、この突き出し部分に円形の砥石１０が取り付けられている。この砥石１０は、平面視時計回り方向に回転する。この砥石１０の後ろ側（使用者側、図１では右側、以下同じ）のほぼ半周の範囲は、研削粉等の粉塵が使用者側へ飛散することを防止するための砥石カバー２０で覆われている。この砥石カバー２０の詳細が図２〜図４に示されている。【０００７】
この砥石カバー２０は、砥石の後ろ側ほぼ半周の範囲を覆うカバー本体部２１と、このカバー本体部２１の上部に設けられ、前記ギヤハウジング８に巻き付いた状態に固定される取り付けバンド部２２を備えている。カバー本体部２１は、砥石１０の上方を覆う半円形状の部分（半円形状部２１ｃ）と、この半円形状部２１ｃの周囲に沿って設けられて砥石１０の外周側を遮蔽する半円弧形状に湾曲した部分（半円湾曲部２１ｄ）を備えている。半円形状部２１ｃの両端縁部２１ａ，２１ｂは、相互にほぼ同一線上に位置している。このカバー本体部２１によって、砥石１０の主として後ろ側の半分の範囲が覆われて、使用者側（後ろ側）への粉塵等の飛散が防止される。
取り付けバンド部２２をギヤハウジング８に対して固定することにより当該砥石カバー２０が砥石１０の後ろ側を覆う位置に固定される。図４に示すように取り付けバンド部２２は、帯状鋼板を円形に湾曲させたもので、その内周側にギヤハウジング下部８ｂの円筒部８ｃ（図５及び図６参照）が挿入される。取り付けバンド部２２の両端部は、それぞれ外周側へ約９０度屈曲されて、相互に対向する固定ねじ締め付け部２２ａ，２２ｂが形成されている。一方の固定ねじ締め付け部２２ａにはナット２３が溶接されている。他方の固定ねじ締め付け部２２ｂには、固定ねじ２４の挿通孔２２ｃが形成されている。
上記両固定ねじ締め付け部２２ａ，２２ｂには、それぞれ補強板２５，２６が溶接によって取り付けられている。補強板２５は、固定ねじ締め付け部２２ａの下部とカバー本体部２１の上面との間に跨った状態に取り付けられている。補強板２６は、固定ねじ締め付け部２２ｂの下部と取り付けバンド部２２との間に跨った状態に取り付けられている。この補強板２５，２６によって両固定ねじ締め付け部２２ａ，２２ｂの外周側への屈曲状態（相互の対向状態）が強固に維持され、これにより固定ねじ２４の締め付け状態が維持される結果、取り付けバンド部２２のギヤハウジング８に対する取り付け状態（巻き付き状態）が維持されてその不用意な緩みが防止されるようになっている。
固定ねじ締め付け部２２ａ側の補強板２５には、ストッパ突起部２７が一体に設けられている。このストッパ突起部２７は、取り付けバンド部２２の内周側に突き出されている。このストッパ突起部２７の機能については後述する。【０００８】
次に、取り付けバンド部２２の内周面には、ギヤハウジング下部８ｂに対する抜け止めをするための抜け止め凸部２２ｄが設けられている。図５及び図６にギヤハウジング下部８ｂの詳細が示されている。ギヤハウジング下部８ｂの円筒部８ｃの外周面には、上記抜け止め凸部２２ｄが挿入される抜け止め凹部８ｄがその全周にわたって形成されている。この抜け止め凹部８ｄ内に抜け止め凸部２２ｄを挿入した状態で取り付けバンド部２２の内周側にギヤハウジング下部８ｂの円筒部８ｃが挿入され、この挿入状態で固定ねじ２４を締め込むことにより当該取り付けバンド部２２が円筒部８ｃに巻き付いた状態に固定され、これにより当該砥石カバー２０がギヤハウジング８に固定される。
図５及び図６では省略されているが、ギヤハウジング下部８ｂの内周側には、スピンドル７を回転支持するための軸受けあるいは防塵用のシールリング等が組み込まれている。このギヤハウジング下部８ｂの中心からスピンドル７が下方へ突き出す状態に支持されている。
また、このギヤハウジング下部８ｂの下面には、ストッパ当接部８ｅが一体に設けられている。このストッパ当接部８ｅは、後述する機能を満たす範囲で円筒部８ｃの下面に沿って設けられている。このストッパ当接部８ｅと前記したストッパ突起部２７が、本実施形態のストッパ装置Ｔ１を構成している。
図２及び図３に示すように砥石カバー２０のギヤハウジング８への取り付け状態において、取り付けバンド部２２に設けたストッパ突起部２７が上記ストッパ当接部８ｅに対して円周方向に対向した状態となる。一方、固定ねじ２４を緩めることにより砥石カバー８は、スピンドル７の軸線を中心にして回転させることができ、これによりカバー本体部２１により覆われる砥石１０の範囲（遮蔽範囲）を一定の範囲内で移動させることができる。【０００９】
このため、上記したように固定ねじ２４を緩めて砥石カバー２０をスピンドル７の軸線回りに回転可能な状態としてその砥石１０に対する遮蔽範囲を調整可能となっているものの、その調整可能な範囲は、図３に示すようにストッパ突起部２７がストッパ当接部８ｅに当接することによって一定の範囲に規制されている。本実施形態の場合、砥石カバー２０の位置調整可能な範囲（基準位置Ｓからの開き角度θ）は、砥石回転方向（図２及び図３において反時計回り方向）について前側となる端縁部２１ａを、本体部３の機長方向Ｊに対して平面視直交する基準位置Ｓ（図２に示す位置）から、図４中白抜きの矢印で示すように同じく砥石回転方向へ６０度の開き角度（θ＝６０°）に規制されるようになっている。図３は、砥石カバー２０を最大開き角度６０度まで砥石回転方向に回転させた状態を示している。
すなわち、基準位置Ｓから、砥石カバー２０を図３に示すように砥石１０の回転方向（図３では反時計回り方向、図４では時計回り方向）へ６０度回転させると、ストッパ突起部２７がストッパ当接部８ｅの端部に当接してそれ以上の回転が阻止されることにより、当該砥石カバー２０の、砥石１０の回転方向についての位置調整可能な範囲が規制されるようになっている。
砥石１０の回転方向とは逆方向について、当該砥石カバー２０の基準位置Ｓからの位置調整範囲が上記ストッパ突起部２７及びストッパ当接部８ｅによって規制されることはなく、従来通り大きな角度範囲で位置調整することにより作業の便宜が図られる。すなわち、図２に示す基準位置Ｓから砥石カバー２０を図示時計回り方向に回転させて行う位置調整については、砥石１０の回転方向とは反対方向（図２において時計回り方向）に開くことから粉塵の使用者側への飛散について影響を及ぼすことが少ない。このため、本実施形態ではストッパ突起部２７及びストッパ当接部８ｅによる位置調整範囲の規制がなされず、従って砥石カバー２０を基準位置Ｓから砥石回転方向とは反対方向に大きく開いて、作業の便宜を図ることができる。【００１０】
以上のように構成した本実施形態の砥石カバー２０によれば、砥石１０の回転方向についての基準位置Ｓからの位置調整範囲（開き角度θ）が最大で６０度に規制されることから、使用者が誤って開き角度を大きくし過ぎることがなく、従って作業に伴う粉塵の使用者側への飛散を未然に防止することができる。
また、固定ねじ２４を強固に締め付けて砥石カバー２０を固定しておけば、砥石１０の回転に伴い、研削片等が万一飛散して砥石カバー２０に衝突しても当該砥石カバー２０は位置ずれすることはない。しかし、その場合、砥石カバー２０の取り付けバンド部２２が必要以上にギヤハウジング８の円筒部８ｃを締め付けてしまう結果、スピンドル７を支えているベアリング（図示省略）に悪影響を与えることになる。また、作業に応じて砥石カバー２０を必要な角度に回転させる場合に固定ねじの緩めや締め付けに手間がかかる。
この点、本発明は、固定ねじを適切に締め付けて使用するため、研削片が万一飛散してその衝撃で砥石カバー２０が回転方向に位置ずれした場合でも、その基準位置Ｓから最大で６０度の開き角度θでストッパ突起部２７がストッパ当接部８ｅに当接してそれ以上の回転が阻止されることから、研削片等の使用者側への飛散が防止される。
さらに、ストッパ突起部２７及びストッパ当接部８ｅによる位置調整範囲の規制機能は、当該砥石カバー２０の砥石回転方向への位置調整範囲について機能し、砥石回転方向とは反対方向への位置調整範囲については従来通り大きな開き角度で位置調整することができることから、砥石の代わりにダイヤモンドホイールを取り付けて、コンクリート等に溝付け作業を行う場合にあっても、当該砥石カバー２０の位置調整機能を大きく損なうことなく、上記の作用効果を得ることができる。【００１１】
以上説明した実施形態には種々変更を加えることができる。例えば、ストッパ突起部２７を、固定ねじ締め付け部２２ａを補強する補強板２５に一体に設ける構成を例示したが、取り付けバンド部２２の周囲、あるいはカバー本体部２１のその他の部位に設ける構成としてもよい。また、ストッパ当接部８ｅを設ける部位についても、前記例示した部位に限らず、上記ストッパ突起部の位置に合わせてその他の部位に設ける構成としてもよい。要は、砥石カバー２０を砥石回転方向に回転させてその位置調整を行うに際して、基準位置Ｓから最大で６０度の開き角度θに規制されるようにストッパ突起部及びストッパ当接部を設けることによって、同等の作用効果を得ることができる。
また、以上例示した実施形態では、ストッパ装置Ｔ１としてストッパ突起部２７及びストッパ当接部８ｅを新たに設ける構成を例示したが、ストッパ当接部のみを追加設定することにより同様の作用効果を得ることができる。図７〜図９には、第２実施形態に係るストッパ装置Ｔ２が示されている。この第２実施形態に係るストッパ装置Ｔ２は、前記第１実施形態に係るストッパ装置Ｔ１のストッパ突起部２７を省略した構成を備えている。その他の構成については、第２実施形態の砥石カバー３０は、第１実施形態の砥石カバー２０と同様に構成されている。第１実施形態と同様で足り、特に変更を要しない部材、構成については同位の符号を用いてその説明を省略する。【００１２】
図９に示すように砥石カバー３０の取り付けバンド部２２の両固定ねじ締め付け部２２ａ，２２ｂの、砥石回転方向について前方には、第２実施形態に係るストッパ当接部３１が設けられている。このストッパ当接部３１は、円筒形状をなすストッパ本体３１ａを１本の取り付けねじ９でギヤハウジング８とともに本体ハウジング５に共締めした構成を備えている。この第２実施形態では、ストッパ本体３１ａを共締めするために、第１実施形態の場合よりもねじ長さの十分に長い取り付けねじ９が用いられている。
このストッパ当接部３１は、砥石カバー３０の砥石回転方向への回転に伴う両固定ねじ締め付け部２２ａ，２２ｂの移動経路中に進入した状態に設けられている。このため、砥石カバー３０を砥石回転方向へ回転させて砥石１０に対する遮蔽範囲を位置調整すると、ストッパ当接部３１に固定ねじ締め付け部２２ａ若しくは固定ねじ２４の先端部が当接し、それ以上の回転が阻止される。第２実施形態においても、砥石カバー３０の砥石回転方向への位置調整範囲は、基準位置Ｓから最大で６０度の開き角度θに規制されている。
このように第２実施形態のストッパ装置Ｔ２によれば、ギヤハウジング８側にストッパ本体３１ａを追加設定するのみで、砥石カバー３０については従来構成のまま用いることにより第１実施形態と同様の作用効果を得ることができる。【００１３】
また、上記第２実施形態には、さらに変更を加えることができる。図１０には第３実施形態に係るストッパ装置Ｔ３が示されている。この第３実施形態に係るストッパ装置Ｔ３は、前記第２実施形態に用いた円筒形状のストッパ本体３１ａに加えてストッパ金具４０を備えている。また、砥石カバー５０の固定ねじ締め付け部２２ａにはストッパ突起部４１が一体に設けられている。ストッパ金具４０は、第２実施形態と同様、取り付けねじ９の共締めによりギヤハウジング８側に固定されている。このストッパ金具４０は、ストッパ本体３１ａとギヤハウジング８の前面との間に挟まれた状態で固定されている。このストッパ金具４０の上部は、図示するように前側（図１０において手前側）へＬ字形に屈曲されている（屈曲部４０ａ）。この屈曲部４０ａは、ストッパ本体部３１ａの上方に沿って張り出している。
ストッパ突起部４１は、固定ねじ締め付け部２２ａの屈曲先端側が、砥石回転方向前側へＬ字形にさらに屈曲されて設けられている。
この第３実施形態に係るストッパ装置Ｔ３によっても、固定ねじ２４を緩めて砥石カバー５０のスピンドル軸回りの位置を調整する場合に、その端縁部２１ａを機長方向Ｊに対して直交させて基準位置Ｓから砥石回転方向へ６０度回転させると、ストッパ突起部４１がストッパ本体３１ａに当接し、これにより当該砥石カバー５０の砥石回転方向へのそれ以上の回転が阻止されて、当該砥石カバー５０の位置調整範囲が規制されるようになっている。このことから、前記第１及び第２実施形態と同様、使用者が砥石カバー５０の砥石回転方向への開き角度を大きくし過ぎることがなく、これにより粉塵の使用者側への飛散を未然に防止することができる。
また、万一研削片等が飛散して砥石カバー５０に衝突し、その衝撃で当該砥石カバー５０が砥石回転方向に位置ずれした場合であっても、その基準位置Ｓから最大で６０度の開き角度θでストッパ本体３１ａにストッパ突起部４１を当接させてそれ以上の回転を阻止することができることから、研削片等の使用者側への飛散が防止される。【００１４】
さらに、前記２実施形態と同様、ストッパ突起部４１及びストッパ本体部３１ａによる位置調整範囲の規制機能は、当該砥石カバー５０の砥石回転方向への位置調整範囲について機能し、砥石回転方向とは反対方向への位置調整範囲については従来通り大きな開き角度で位置調整することができることから、当該砥石カバー５０の位置調整機能を大きく損なうことなく、上記の作用効果を得ることができる。
また、第３実施形態のストッパ金具４０の上部には、屈曲部４０ａが設けられている。この屈曲部４０ａはストッパ本体３１ａの上方に沿って張り出す状態に設けられている。この屈曲部４０ａによれば、当該ストッパ本部３１ａに当接したストッパ突起部４１の上方への変位が規制されてその外れ防止がなされ、これにより当該当接状態を確実に維持することができることから、当該ストッパ装置Ｔ３の位置調整範囲規制機能を確実に発揮させることができる。
以上説明した３実施形態についても、それぞれさらに変更を加えることができる。例えば、図１１に示すように第１実施形態におけるストッパ突起部２７の近傍に、ストッパ規制凸部２８を設けることによって砥石カバー２０の開き角度θをより確実に規制することができる。このストッパ規制凸部２８は、抜け止め凸部２２ｄと同様取り付けバンド部２２の内周面であってストッパ突起部２７に極めて近い部位に設けられている。取り付けバンド部２２をギヤハウジング下部８ｂの円筒部８ｃに取り付けると、抜け止め凸部２２ｄと同じくこのストッパ規制凸部２８が抜け止め凹部８ｄ内に挿入された状態となる。このストッパ規制凸部２８と抜け止め凸部２２ｄによって、取り付けバンド部２２ひいては当該砥石カバー２０のスピンドル７の軸方向（ギヤハウジング下部８ｂに対する取り外し方向）の変位が規制される。
特に、ストッパ規制凸部２８によってストッパ突起部２７のスピンドル軸方向の変位がより確実に規制される。このため、砥石カバー２０が回転してストッパ突起部２７がストッパ当接部８ｅに当接した時の衝撃による部材のたわみ等により当該ストッパ突起部２７がスピンドル軸方向に変位してストッパ当接部８ｅから外れてしまうことをより確実に防止することができ、従って当該ストッパ突起部２７のストッパ当接部８ｅに対する当接状態が確実に維持されて当該砥石カバー２０の開き角度θがより確実に規制される。
このストッパ規制凸部２８は、第１実施形態に限らず、第２及び第３実施形態にも同様に適用することができる。このストッパ規制凸部２８を第３実施形態に適用することによって、屈曲部４０ａに加えてこのストッパ規制凸部２８によってもストッパ突起部４１のストッパ金具４０に対する当接状態が一層確実に維持される。
また、取り付けバンド部２２の内周面にほぼ全周に沿って連続する１つの抜け止め凸部を設け、これをギヤハウジング下部８ｂの抜け止め凹部８ｄ内に沿って挿入することにより取り付けバンド部２２ひいては砥石カバー２０をスピンドル７回りに一定の角度範囲で回転可能かつスピンドル軸方向に位置ずれしないよう支持する構成としてもよい。この場合、取り付けバンド部の内周面に沿って連続する１つの抜け止め凸部のうち、ストッパ突起部２７の近傍部分が前記ストッパ規制凸部２８と同じ機能を有する。
さらに、例えば、各ストッパ装置Ｔ１，Ｔ２，Ｔ３について、砥石カバー２０，３０，５０の砥石回転方向の位置調整範囲を基準位置Ｓから最大で約６０度の開き角度θに規制する構成を例示したが、この開き角度θについては、粉塵等の飛散状況に合わせて例えば５０度前後、あるいは７０度前後の角度に任意に設定することができる。また、砥石回転方向への位置調整範囲を基準位置Ｓから０度（基準位置Ｓ）として、砥石回転方向とは反対方向へのみ位置調整可能となるようストッパ装置を設定することもできる。
また、本体ハウジング５がグリップ部としての機能を併せ持つ形態の比較的小型のグラインダを例示したが、本体ハウジングの後部に別途専用のグリップ部を備える形態の比較的大型のグラインダにおける砥石カバーにも同様に適用することができる。
【図１】
2009054275.tif 000003
【図２】
2009054275.tif 000004
【図３】
2009054275.tif 000005
【図４】
2009054275.tif 000006
【図５】
2009054275.tif 000007
【図６】
2009054275.tif 000008
【図７】
2009054275.tif 000009
【図８】
2009054275.tif 000010
【図９】
2009054275.tif 000011
【図１０】
2009054275.tif 000012
【図１１】
2009054275.tif 000013
【国際調査報告】
2009054275.tif 000014
2009054275.tif 000015
2009054275.tif 000016
2009054275.tif 000017